(57)【特許請求の範囲】
【請求項１】
吊元支柱と、
伸縮自在な扉体と、
前記扉体の一端を構成する吊元側端枠を前記吊元支柱に取り付け、該扉体を該吊元支柱の周りで回転可能とする取付部材と、
前記吊元側端枠の下部から前記吊元支柱に向かって突出し、その突出高さが調整可能な調整手段と、を備え、
前記調整手段は、前記吊元側端枠にねじ込まれたネジ軸と、該ネジ軸の先端に回転自在に取り付けられ前記吊元支柱に当接する当接部とからなる調整ボルトであり、
前記扉体を前記吊元支柱の周りで回転させると、前記当接部と前記吊元支柱とが当接または離間し、
前記当接部は緩衝材で覆われている
ことを特徴とする伸縮門扉。
【請求項２】
吊元支柱と、
伸縮自在な扉体と、
前記扉体の一端を構成する吊元側端枠を前記吊元支柱に取り付け、該扉体を該吊元支柱の周りで回転可能とする取付部材と、
前記吊元支柱の下部から前記吊元側端枠に向かって突出し、その突出高さが調整可能な調整手段と、を備え、
前記調整手段は、前記吊元支柱にねじ込まれたネジ軸と、該ネジ軸の先端に回転自在に取り付けられ前記吊元側端枠に当接する当接部とからなる調整ボルトであり、
前記扉体を前記吊元支柱の周りで回転させると、前記当接部と前記吊元側端枠とが当接または離間し、
前記当接部は緩衝材で覆われている
ことを特徴とする伸縮門扉。
【発明の詳細な説明】
【技術分野】
【０００１】
本発明は、伸縮門扉に関する。さらに詳しくは、パンタグラフ式伸縮機構を有する伸縮門扉のうち、特に扉体の通路部に車輪装置を施さないハンガータイプの伸縮門扉に関する。
【背景技術】
【０００２】
図７に示すように、一般的なハンガータイプの伸縮門扉101は、出入口などの左右両端に立設された吊元支柱110および戸当支柱120と、これらの支柱間に設けられた扉体130とからなる。また、扉体130は、パンタグラフ式伸縮機構131と、その両端に設けられた吊元側端枠132および戸当側端枠133とからなる。扉体130は、吊元側端枠132が蝶番140などの取付部材で吊元支柱110に取り付けられている。そして、パンタグラフ式伸縮機構131が伸縮することで戸当側端枠133が戸当支柱120に対して近接離間し、伸縮門扉101の開閉ができるようになっている。また、伸縮門扉101を閉めた状態では、戸当側端枠133が戸当支柱120に当接し、戸当側端枠133に設けられた施錠手段135で施錠可能となっている。
【０００３】
ここで、図８に示すように、吊元側端枠132を吊元支柱110に取り付ける蝶番140は、吊元支柱110側の羽根板141に長孔144が形成されており、この長孔144に通されるボルト145によって吊元支柱110に固定されている。そのため、ボルト145の長孔144を通す位置によって、吊元支柱110と吊元側端枠132との隙間や、吊元支柱110に対する吊元側端枠132の角度を調整できるようになっている。
【０００４】
このようなハンガータイプの伸縮門扉101の施工は、吊元支柱110および戸当支柱120を地面に立設させた後に、吊元支柱110に扉体130の吊元側端枠132を取り付けることにより行われる。
ここで、ハンガータイプの伸縮門扉101は、扉体130の通路部に車輪装置が施されず、吊元側端枠132で扉体130の重量を支えて宙に浮かせるため、吊元側端枠132を地面に対して垂直に設けたとしても戸当側端枠133がわずかに垂れ下がる。この戸当側端枠133の垂れ下がりが大きくなると、戸当側端枠133と戸当支柱120とが所定位置よりズレて当接するため、開閉動作に違和感が生じる場合がある。そのため、施工時には蝶番140を固定するボルト145の長孔144を通す位置を調整し、吊元側端枠132を若干傾斜させて戸当側端枠133を持ち上げることで、戸当側端枠133の高さ方向の調整が行われる。
また、扉体130のパンタグラフ式伸縮機構131は、リンク部に遊びがあるため、そのリンク部の使用劣化によっても戸当側端枠133が垂れ下がってくる。そのため、伸縮門扉101は定期的にメンテナンスを行う必要があり、メンテナンス時には施工時と同様に蝶番140の取り付けを調整して戸当側端枠133の高さ方向の調整が行われる。
【０００５】
しかるに、このような調整作業は、一人が戸当側端枠133を支えて高さ合わせをした状態で、もう一人が蝶番140の取り付けを調整する必要があり、通常は二人以上の作業員で行われていた。そのため、特に施工後のメンテナンス時に二人以上の作業員を派遣する必要があるため、メーカーの人的負担やユーザーの費用負担が大きくなるという問題があった。
【０００６】
一方、特許文献１には、ハンガータイプの伸縮門扉101において、戸当側端枠133の垂れ下がりを防止するための機構が記載されている。
図８に示すように、特許文献１に記載の垂れ下がり防止機構150は、上下に取り付けられた蝶番140のうち下側の蝶番140に一体形成されており、吊元側端枠132側の羽根板142に取り付けられた垂れ下がり防止軸151と、吊元支柱110側の羽根板141に形成された当接部152とからなる。この垂れ下がり防止機構150は、垂れ下がり防止軸151が当接部152に当接することで、吊元側端枠132の下部が吊元支柱110に近づかないように規制し、戸当側端枠133の垂れ下がりを防止するものである。
【０００７】
しかるに、上記垂れ下がり防止機構150を備えた伸縮門扉101においても、施工時およびメンテナンス時に、蝶番140の取り付けを調整して戸当側端枠133の高さ方向の調整を行う必要があり、調整作業を容易にできるものではなかった。
【先行技術文献】
【特許文献】
【０００８】
【特許文献１】特開２００４−２３８８３６号公報
【発明の概要】
【発明が解決しようとする課題】
【０００９】
本発明は上記事情に鑑み、戸当側端枠の高さ位置を容易に調整できる伸縮門扉を提供することを目的とする。
【課題を解決するための手段】
【００１０】
第１発明の伸縮門扉は、吊元支柱と、伸縮自在な扉体と、前記扉体の一端を構成する吊元側端枠を前記吊元支柱に取り付け、該扉体を該吊元支柱の周りで回転可能とする取付部材と、前記吊元側端枠の下部から前記吊元支柱に向かって突出し、その突出高さが調整可能な調整手段と、を備え、前記調整手段は、前記吊元側端枠にねじ込まれたネジ軸と、該ネジ軸の先端に回転自在に取り付けられ前記吊元支柱に当接する当接部とからなる調整ボルトであり、前記扉体を前記吊元支柱の周りで回転させると、前記当接部と前記吊元支柱とが当接または離間し、前記当接部は緩衝材で覆われていることを特徴とする。
第２発明の伸縮門扉は、吊元支柱と、伸縮自在な扉体と、前記扉体の一端を構成する吊元側端枠を前記吊元支柱に取り付け、該扉体を該吊元支柱の周りで回転可能とする取付部材と、前記吊元支柱の下部から前記吊元側端枠に向かって突出し、その突出高さが調整可能な調整手段と、を備え、前記調整手段は、前記吊元支柱にねじ込まれたネジ軸と、該ネジ軸の先端に回転自在に取り付けられ前記吊元側端枠に当接する当接部とからなる調整ボルトであり、前記扉体を前記吊元支柱の周りで回転させると、前記当接部と前記吊元側端枠とが当接または離間し、前記当接部は緩衝材で覆われていることを特徴とする。
【発明の効果】
【００１１】
第１発明によれば、調整ボルトのねじ込みを調整するだけで吊元側端枠の下部と吊元支柱との間の距離を調整でき、吊元側端枠の傾斜を調整できるので、戸当側端枠の高さ位置を容易に調整でき、一人でも調整作業を行うことができる。また、調整ボルトの当接部は緩衝材で覆われているので吊元支柱が傷つくことを防止できる。
第２発明によれば、調整ボルトのねじ込みを調整するだけで吊元側端枠の下部と吊元支柱との間の距離を調整でき、吊元側端枠の傾斜を調整できるので、戸当側端枠の高さ位置を容易に調整でき、一人でも調整作業を行うことができる。また、調整ボルトの当接部は緩衝材で覆われているので吊元側端枠が傷つくことを防止できる。
【図面の簡単な説明】
【００１２】
【図１】本発明の第１実施形態に係る伸縮門扉の調整ボルト部分の正面視部分断面図である。
【図２】図１におけるII-II線矢視断面図である。
【図３】同伸縮門扉の調整作業の説明図である。
【図４】同伸縮門扉の正面図である。
【図５】同伸縮門扉の平面図である。
【図６】本発明の第２実施形態に係る伸縮門扉の調整ボルト部分の底面視断面図である。
【図７】従来の伸縮門扉の正面図である。
【図８】同伸縮門扉の蝶番部分の拡大図である。
【発明を実施するための形態】
【００１３】
つぎに、本発明の実施形態を図面に基づき説明する。
（第１実施形態）
図４に示すように、本発明の第１実施形態に係る伸縮門扉１は、出入口などの左右両端に立設された吊元支柱１０および戸当支柱２０と、これらの支柱間に設けられた伸縮自在な扉体３０とからなる。また、扉体３０は、パンタグラフ式伸縮機構３１と、その両端に設けられた吊元側端枠３２および戸当側端枠３３とからなる。なお、扉体３０の通路部には車輪装置が施されず、伸縮門扉１はいわゆるハンガータイプの伸縮門扉である。
【００１４】
パンタグラフ式伸縮機構３１は、公知の伸縮機構であり、例えば、斜架材を相反する向きに傾斜させ、その交差部をピン軸によって回動自在に結合し、斜架材の前後外方に縦格子を配設したものである。また、中間の縦格子には落とし棒装置が設けられている。
【００１５】
扉体３０は、吊元側端枠３２が上下２つの蝶番４０で吊元支柱１０に取り付けられている。そして、パンタグラフ式伸縮機構３１が伸縮することで戸当側端枠３３が戸当支柱２０に対して近接離間し、伸縮門扉１の開閉ができるようになっている。また、戸当側端枠３３には、把手３４および施錠手段３５が設けられており、把手３４を把持して扉体３０を伸縮でき、伸縮門扉１を閉めた状態では、戸当側端枠３３が戸当支柱２０に当接し施錠手段３５で施錠可能となっている。
【００１６】
また、吊元側端枠３２と吊元支柱１０とが蝶番４０で連結されていることから、図５に示すように、収縮させた扉体３０を吊元支柱１０周りで回転させて収納できるようになっている。この場合、伸縮門扉１で隔てられた一方を家側、他方を道路側とすれば、扉体３０を家側に回転させて収納するように蝶番４０が構成されるのが一般的である。
【００１７】
図１および図２に示すように、吊元側端枠３２の下部であって、上下に取り付けられた蝶番４０のうち下側の蝶番４０の近傍には、調整ボルト５０が取り付けられている。この調整ボルト５０は、ネジ軸５１と、そのネジ軸５１の一端に回転自在に取り付けられた当接部５２とからなるものである。また、当接部５２は、ゴムなどの緩衝材で覆われている。
【００１８】
吊元側端枠３２の内部には補強板５３が固定されており、この補強板５３に形成されたネジ穴に調整ボルト５０のネジ軸５１がねじ込まれている。そして、調整ボルト５０の当接部５２は吊元支柱１０に向かって突出しており、その端面が吊元支柱１０に当接している。そのため、ネジ軸５１のねじ込み具合により当接部５２の突出高さを調整することができ、吊元側端枠３２の下部と吊元支柱１０との間の距離を調整できるようになっている。また、調整後にネジ軸５１にナット５４を螺合して、ナット５４と補強板５３と密着させることで、調整位置からずれないようにネジ軸５１の回転を止めることができる。
【００１９】
なお、扉体３０を吊元支柱１０周りで回転させて収納する場合、吊元側端枠３２と吊元支柱１０との向い合う端面同士は離間する。しかし、調整ボルト５０の当接部５２は吊元支柱１０に当接しているだけであり離間可能であるので、このような扉体３０の回転を制限することがない。
【００２０】
ところで、図２に示すように、蝶番４０は、吊元支柱１０の一側面、例えば家側（図５参照）の側面に固定された羽根板４１と、吊元側端枠３２の吊元支柱１０と対向する端面に固定された羽根板４２と、それら羽根板４１、４２を回動可能に連結するピン４３とからなる。また、吊元支柱１０の他方の側面、例えば道路側（図５参照）の側面には、回り止め板４６が固定されており、回り止め板４６の一端および羽根板４２の一端に形成された円筒部に回り止めピン４７を挿入することで、回り止め板４６と羽根板４２とを連結できるようになっている。そのため、回り止めピン４７を円筒部から抜去すれば扉体３０を回転することができ、回り止めピン４７を円筒部に挿入すれば扉体３０が回転しないように止めることができる。
【００２１】
ここで、吊元支柱１０側の羽根板４１は、長孔４４が形成されており、この長孔４４に通されるボルト４５によって吊元支柱１０に固定されている。また、回り止め板４６は、長孔４８が形成されており、この長孔４８に通されるボルト４９によって吊元支柱１０に固定されている。そのため、ボルト４５、４９の長孔４４、４８を通す位置によって、吊元支柱１０と吊元側端枠３２との隙間を所定の間隔とし、吊元支柱１０に対する吊元側端枠３２の角度を所定角度として固定できるようになっている。
なお、上下に取り付けられた蝶番４０の両方が上記の構成である。
【００２２】
上記の伸縮門扉１の施工は、吊元支柱１０および戸当支柱２０を地面に立設させた後に、吊元支柱１０に扉体３０の吊元側端枠３２を取り付けることにより行われる。
ここで、ハンガータイプの伸縮門扉１は、扉体３０の通路部に車輪装置が施されず、吊元側端枠３２で扉体３０の重量を支えて宙に浮かせるため、吊元側端枠３２を地面に対して垂直に設けたとしても戸当側端枠３３がわずかに垂れ下がる。この戸当側端枠３３の垂れ下がりが大きくなると、戸当側端枠３３と戸当支柱２０とが所定位置よりズレて当接するため、開閉動作に違和感が生じる場合がある。
【００２３】
そこで、吊元側端枠３２を若干傾斜させて戸当側端枠３３を持ち上げることで、戸当側端枠３３の高さ方向の調整が行われる。
より詳細には、上下２つの蝶番４０のうち、特に下側の蝶番４０のボルト４５、４９を緩めた後に、扉体３０を伸長させた状態とし、調整ボルト５０のネジ軸５１の先端に形成されたマイナス状の溝５１ａにマイナスドライバーを挿入し、ネジ軸５１のねじ込み具合を調整して、吊元側端枠３２の下部と吊元支柱１０との間の距離を調整する。
【００２４】
そうすると、図３に示すように、調整ボルト５０の当接部５２の突出を高くした場合には、戸当側端枠３３の高さが吊元側端枠３２に比べて高くなり（ａ）、逆に当接部５２の突出を低くした場合には、戸当側端枠３３の高さが吊元側端枠３２に比べて低くなる（ｃ）。そこで、調整ボルト５０により戸当側端枠３３の高さが吊元側端枠３２と同じ高さとなるように調整を行う（ｂ）。その後、蝶番４０のボルト４５、４９を締めれば、戸当側端枠３３の高さ位置を適切に調整することができる。
【００２５】
また、扉体３０のパンタグラフ式伸縮機構３１は、ピン軸によるリンク部に遊びがあるため、そのリンク部の使用劣化によっても戸当側端枠３３が垂れ下がってくる。そのため、伸縮門扉１は定期的にメンテナンスを行う必要がある。メンテナンス時にも施工時と同様に、調整ボルト５０により吊元側端枠３２の下部と吊元支柱１０との間の距離を調整することで吊元側端枠３２の傾斜を調整し、戸当側端枠３３の高さ位置を調整する。
【００２６】
以上のように、本実施形態に係る伸縮門扉１は、調整ボルト５０のねじ込みを調整するだけで戸当側端枠３３の高さ位置を容易に調整できる。そのため、調整作業を一人で行うことができ、特に施工後のメンテナンス時に一人の作業員を派遣すればよく、メーカーの人的負担やユーザーの費用負担を軽減することができる。
【００２７】
（第２実施形態）
図６に示すように、本発明の第２実施形態に係る伸縮門扉２は、第１実施形態に係る伸縮門扉１とは、調整ボルト５０の取り付け位置が異なるものである。すなわち、吊元支柱１０に補強板５３が固定されており、この補強板５３に形成されたネジ穴に調整ボルト５０のネジ軸５１がねじ込まれている。そして、調整ボルト５０の当接部５２は吊元側端枠３２に向かって突出しており、その端面が吊元側端枠３２に当接している。
その余の構成は第１実施形態に係る伸縮門扉１と同様であるので、説明を省略する。
【００２８】
本実施形態においても、調整ボルト５０のねじ込みを調整するだけで吊元側端枠３２の下部と吊元支柱１０との間の距離を調整でき、吊元側端枠３２の傾斜を調整できるので、戸当側端枠３３の高さ位置を容易に調整できる。
【００２９】
（その他の実施形態）
上記実施形態では、吊元側端枠３２の下部と吊元支柱１０との間の距離を調整する調整手段として調整ボルト５０を採用したが、これ以外の調整手段を採用してもよい。調整手段としては、吊元側端枠３２の下部から吊元支柱１０に向かって突出しその突出高さを調整できるもの、または、吊元支柱１０の下部から吊元側端枠３２に向かって突出しその突出高さを調整できるものを採用することができる。例えば、調整手段として当接部を有さない単なるボルトを採用してもよい。ただし、当接部を有する調整ボルト５０の方が、当接する吊元側端枠３２または吊元支柱１０が傷つくことを防止できるので好ましい。
【００３０】
また、上記実施形態では、吊元側端枠３２は蝶番４０で吊元支柱１０に取り付けられているが、蝶番４０に代えて単なる取付金具で吊元側端枠３２を吊元支柱１０に取り付けても良い。この場合、取付金具に長孔などを形成して自由度を増すことで、調整ボルト５０による調整を可能とする必要がある。
【符号の説明】
【００３１】
１    伸縮門扉
１０  吊元支柱
２０  戸当支柱
３０  扉体
３１  パンタグラフ式伸縮機構
３２  吊元側端枠
３３  戸当側端枠
４０  蝶番
５０  調整ボルト
５１  ネジ軸
５２  当接部
【図１】
0005701200.tif 000002
【図２】
0005701200.tif 000003
【図３】
0005701200.tif 000004
【図４】
0005701200.tif 000005
【図５】
0005701200.tif 000006
【図６】
0005701200.tif 000007
【図７】
0005701200.tif 000008
【図８】
0005701200.tif 000009